(57)【要約】【課題】拡幅部を拡幅した後の段差を無くすことのできる拡幅車両における床面のせり上げ構造を提供すること。【解決手段】ボディ本体６内の格納位置に格納された拡幅部４の下方に、ポップアップフロア２２を上下動可能に配置するとともに、拡幅部４を幅方向に拡幅した後、その跡地にポップアップフロア２２を移動手段４０の駆動により上動させてボディ本体６内の床面を略均一の高さに設定した。【選択図】図２
2013032126.tif 000002
【特許請求の範囲】
【請求項１】
ボディ本体内の格納位置に格納された拡幅部の下方に、ポップアップフロアを上下動可能に配置するとともに、
前記拡幅部を幅方向に拡幅した後、その跡地に前記ポップアップフロアを移動手段の駆動により上動させて、前記ポップアップフロアの上面と前記ボディ本体内に配置された固定床の上面とを、略面一の高さに設定したことを特徴とする拡幅車両における拡幅部床のせり上げ構造。
【請求項２】
前記ポップアップフロアの上下方向への移動手段は、水平方向に配置されたシリンダ装置と、このシリンダ装置の軸に取り付けられた節部と、この節部の上部に取り付けられたベアリングとにより構成されていることを特徴とする請求項１に記載の拡幅車両にける拡幅部床のせり上げ構造。
【発明の詳細な説明】
【技術分野】
【０００１】
本発明は、拡幅車両における床面のせり上げ構造に関し、詳しくは、拡幅車両における拡幅部が拡幅された後の床面のせり上げ構造に関する。
【背景技術】
【０００２】
例えば、地震などの災害に見舞われた地域では、救援隊員の寝泊りする施設が必要になることから、図４に示したような特装車両２が出動される場合がある。
このような特装車両２では、もともと車体内部に大空間が具備されているが、さらにスペースの拡大化を図るため、車体側面に拡開が可能な拡幅部４を有している。このような拡幅部４の拡幅・格納手段は様々提案されているが、図４に示したように、拡幅部４の側面下方に配置された２本の油圧シリンダ式のブーム１０で行われるのが一般的である。
【０００３】
そして、通常拡幅部４は、図５（Ａ）に示したように、ボディ本体６の床面６ａ上に重ねた状態で格納され、その側方に家具１３などが並べられている。
一方、このような拡幅部４を側方に拡幅して内部空間を広げる場合には、一対のブーム１０、１０を突出させることにより、図５（Ｂ）に示したように拡幅部４を拡幅している。
【０００４】
ところで、このように拡幅部４を拡幅した後には、ボディ本体６内における拡幅部４の床板４ａの元あった位置に、段差Ｄが生じてしまう。
この段差Ｄを解消するために従来は、その段差Ｄに相当する厚さの例えばスノコ１１を用意し、そのスノコ１１を段差Ｄの位置に嵌め込んだり、あるいは家具の配置換えなどを行なって目立たなくしていた。
【０００５】
しかしながら、このような作業は煩雑であるとともに使い勝手が悪いため、改善が求められていた。
【発明の概要】
【発明が解決しようとする課題】
【０００６】
本発明は、このような実情に鑑み、拡幅部を拡幅した後のボディ本体内の床面の段差を無くすことのできる拡幅車両における床面のせり上げ構造を提供することを目的としている。
【課題を解決するための手段】
【０００７】
上記目的を達成するための本発明に係る拡幅車両における床面のせり上げ構造は、
ボディ本体内の格納位置に格納された拡幅部の下方に、ポップアップフロアを上下動可能に配置するとともに、
前記拡幅部を幅方向に拡幅した後、その跡地に前記ポップアップフロアを移動手段の駆動により上動させて、前記ポップアップフロアの上面と前記ボディ本体内に配置された固定床の上面とを、略面一の高さに設定したことを特徴としている。
【０００８】
このような構成であれば、拡幅部が拡幅した後のボディ本体内の床面を略均一の高さにすることができる。
ここで、前記ポップアップフロアの上下方向への移動手段は、水平方向に配置されたシリンダ装置と、このシリンダ装置の軸に取り付けられた節部と、この節部の上部に取り付けられたベアリングとにより構成されていることが好ましい。
【０００９】
このような構成であれば、拡幅部の下方に余分なスペースがない車両であっても、移動手段を配置することができる。
【発明の効果】
【００１０】
本発明に係る拡幅車両における拡幅部床のせり上げ構造によれば、ボディ本体内の跡地に生じてしまった段差をポップアップフロアの上動により解消することができる。
【図面の簡単な説明】
【００１１】
【図１】図１は本発明の一実施例に係る拡幅車両における拡幅部のせり上げ構造を示した断面図で、拡幅部が格納状態にあるときの断面図である。
【図２】図２は図１に示した拡幅部を拡幅したときの断面図である。
【図３Ａ】図３（Ａ）は、本発明の一実施例で採用された拡幅部の移動手段の一例を示した分解斜視図である。
【図３Ｂ】図３（Ｂ）は、本発明の一実施例で採用された拡幅部の移動手段の作動を示す概略側面図である。
【図４】図４は従来の拡幅部を備えた拡幅車両の一例を示す斜視図である。
【図５】図５（Ａ）、（Ｂ）は従来の拡幅車両における拡幅部を格納した場合と、拡幅した場合の概略断面図である。
【発明を実施するための形態】
【００１２】
以下、図面に示した実施例を参照しながら、本発明の好ましい実施の形態について説明する。
図１は、本発明の一実施例に係る拡幅車両における床面のせり上げ構造を示した概略図である。なお、以下の説明では、図５と同一要素は同一符号を付して説明する。
【００１３】
図１に示したように、拡幅車両のボディ本体６内には、固定床２０が図示しないフレームなどにより支持されている。この固定床２０は勿論のこと上下あるいは左右方向に移動することはない。
【００１４】
一方、固定床２０の側方には、車体側方に向かって拡幅可能な拡幅部４が配置され、この拡幅部４の床板４ａは、格納状態において固定床２０の上面と面一となるように設定されている。
【００１５】
このような状態でボディ本体６内に格納された拡幅部４の下方には、後述する移動手段４０を介して上下方向に移動可能なポップアップフロア２２が配置されている。
図２に矢印で示したように、拡幅部４が側方に拡幅したときに、このポップアップフロア２２は、拡幅部４の動きと連動して下方位置から上方位置に移動する。また、その逆に、拡幅部４が拡幅した状態から車体本体内に格納されたとき、ポップアップフロア２２は、この拡幅部４の動きと連動して上方位置から下方位置に移動するものである。また、このポップアップフロア２２の上面は、図２に示したように、拡幅部４の拡幅時に固定床２０および拡幅部４の床板４ａと面一となり、それ以上上動しないように設定されている。
【００１６】
このように、本実施例では、拡幅部４が車体側方に拡幅した後、ポップアップフロア２２が下方位置から上動し、拡幅部４の元あった位置に配置される。これにより、拡幅部４の室内での跡地の空間が、ポップアップフロア２２で覆われるとともに、ボディ本体６内では平坦な床面が構成される。
【００１７】
なお、このように、ポップアップフロア２２を上下動させる移動手段４０は、特に限定されるものではなく、様々な構造を採用することができる。しかしながら、格納状態における拡幅部４の下方に充分な設置スペースが無いことを考慮すると、特に、高さ方向にコンパクトであることが求められる。
【００１８】
図３（Ａ）、（Ｂ）は、このようなコンパクトな構造の移動手段４０の一例を示したものである。
この移動手段４０では、ポップアップフロア補強パネル２６に支持された枠体４１に、リンクロッド４２ａ、４２ｂ、４２ｃ、４２ｄが、所定間隔離間して平行に差し渡されるとともに、１つのリンクロッド４２ｂに公知の電動油圧シリンダ（ミニモーション）３０が水平方向に設置されている。また、各リンクロッド４２ａ、４２ｂ、４２ｃ、４２ｄの節部の先端部には、ウレタン製のベアリング４４ａ、４４ｂ、４４ｃ、４４ｄが取り付けられている。これらのベアリングは、図３（Ｂ）に示したようにポップアップフロア２２の下面に設けられたハット形レール３８内に移動自在に収納されている。
【００１９】
このような機構を備えた移動手段４０では、電動油圧シリンダ（ミニモーション）３０が伸び縮みすることにより、シリンダボトム側に取付られた第１節部４５、第２節部４６、第３節部４７が、図３（Ｂ）のように回動し、これによりポップアップフロア２２が所定距離上方に移動したり、これと反対に下方に移動したりすることになる。
【００２０】
このように移動手段４０の駆動により、ポップアップフロア２２を上方位置あるいは下方位置のいずれか一方に選択的に移動させることができる。
本実施例では、拡幅部４が側方に拡幅したときに、これと同期してポップアップフロア２２が上方位置となり、これと反対に拡幅部４がボディ本体内に格納したときに、これと同期してポップアップフロア２２が下方位置となるように設定されている。また、上記のように形成された移動手段４０は、高さ方向に大きな設置スペースが不要であるため、例えば、図４に示した拡幅部４の下方が狭いスペースであっても、この部位に設置することができる。
【００２１】
このように、本実施例によれば、拡幅部４を拡幅した後の跡地に、ポップアップフロア２２を位置させているので、図５（Ｂ）に示したような段差Ｄが生じることはない。
したがって、ボディ本体６内を有効利用することができ、使い勝手が向上する。
【００２２】
以上、本発明の一実施例について説明したが、本発明は、この実施例に何ら限定されない。例えば、上記実施例では、特に、キャンピングカーや支援車を例にして説明したが、他の特装車両にも有効に適用することができる。
【符号の説明】
【００２３】
４          拡幅部
４ａ        拡幅部の床板
６          ボディ本体
６ａ        ボディ本体の床板
１０        ブーム
２０        固定床
２２        ポップアップフロア
３０        油圧シリンダ
３４        小ロッド
３６        ベアリング
４０        移動手段
Ｄ          段差
【図１】
2013032126.tif 000003
【図２】
2013032126.tif 000004
【図３Ａ】
2013032126.tif 000005
【図３Ｂ】
2013032126.tif 000006
【図４】
2013032126.tif 000007
【図５】
2013032126.tif 000008